(57)【特許請求の範囲】
【請求項１】
外装用プレート材の取付構造であって、前記プレート材には、その取付面側に、該プレート材を支持する支持部材に固定するための固定部と、前記プレート材の上部に設けられた上部係止部材と、前記プレート材の下部に設けられた下部係止部材とが設けられた構成とされ、
前記固定部と前記上部係止部材とが一体化され、かつその下部には略Ｕ字型の挿入部が形成され、また前記プレート材の取付面側には、中間部に対してその両側が該プレート材の裏面から所定寸法を離間するよう折曲げ形成された受け部材が固定され、
前記挿入部が、前記受け部材の両側と前記プレート材の裏面との隙間に着脱自在に挿入される構成となっていることを特徴とする外装用プレート材の取付構造。
【請求項２】
請求項１記載の外装用プレート材の取付構造であって、互いに上下に位置するプレート材どうしは、その端部が重ね合わせられていることを特徴とする外装用プレート材の取付構造。
【発明の詳細な説明】
【０００１】
【発明の属する技術分野】
本発明は、例えば屋根や外壁等の外装用プレート材の取付構造に関するものである。
【０００２】
【従来の技術】
屋根や外壁等の外装を例えば石板等のプレート材で形成する場合、下地材の表面にモルタル等で貼り付けるのが一般的であった。
【０００３】
【発明が解決しようとする課題】
しかしながら、上述したような従来の技術では、プレート材を多数取り付ける場合には非常に手間がかかり、また屋根や外壁の重量も重くなる。
しかも、地震発生時には、プレート材が脱落する可能性も考えられる。
さらに、破損等によりプレート材を交換しなければならない時には、モルタル等で貼り付けていたのでは非常に手間がかかり、加えて屋根等においてプレート材の一部を重ね合わせている場合には、破損したプレート材のみを交換することが不可能であることもある。
本発明は、以上のような点を考慮してなされたもので、容易かつ確実に取り付けることのできる外装用プレート材の取付構造を提供することを課題とする。
【０００４】
【課題を解決するための手段】
請求項１に係る発明は、外装用プレート材の取付構造であって、前記プレート材には、その取付面側に、該プレート材を支持する支持部材に固定するための固定部と、前記プレート材の上部に設けられた上部係止部材と、前記プレート材の下部に設けられた下部係止部材とが設けられた構成とされ、前記固定部と前記上部係止部材とが一体化され、かつその下部には略Ｕ字型の挿入部が形成され、また前記プレート材の取付面側には、中間部に対してその両側が該プレート材の裏面から所定寸法を離間するよう折曲げ形成された受け部材が固定され、前記挿入部が、前記受け部材の両側と前記プレート材の裏面との隙間に着脱自在に挿入される構成となっていることを特徴としている。
【０００５】
これにより、固定部と上部係止部材とを一体化したものを支持部材に取り付けた後、これを外装用プレート材の受け部材に挿入させることによってプレート材を支持部材に取り付けることができる。
【０００６】
請求項２に係る発明は、請求項１記載の外装用プレート材の取付構造であって、互いに上下に位置するプレート材どうしは、その端部が重ね合わせられていることを特徴としている。
【０００９】
【発明の実施の形態】
以下、本発明に係る外装用プレート材の取付構造の実施の形態の一例を、図１ないし図１９を参照して説明する。ここでは、本発明に係る外装用プレート材を、例えば三次曲面からなる屋根に適用する場合の例を用いて説明する。
【００１０】
図１に示すように、形成すべき屋根（三次元曲面）１は、例えば三次元曲面形状をなしている。図２に示すように屋根１の表面形状は、二つの異なる楕円をベースとした三次元曲面で形成されている。ここでは、屋根１の表面は、例えば、レベルｈ１（例えばＧＬ＋１７４００ｍｍ）において位置ｇ１を中心とした楕円Ａ（例えば長径１９４４００ｍｍ，短径３２４００ｍｍ）と、レベルｈ２（＞ｈ１、例えばＧＬ＋３００００ｍｍ）において位置ｇ２を中心とした楕円Ｂ（例えば長径９８４００ｍｍ，短径１６８００ｍｍ）とをベースとしている。
【００１１】
すなわち、楕円Ａ，Ｂの長径方向に沿って所定間隔毎に設定した通り芯Ｘ０，…，Ｘ２７のそれぞれにおいて、楕円Ａ，Ｂをベースとして屋根１の表面の断面形状が設定されている。
まず、図３に示すように、通り芯ＸＯ〜Ｘ１３（位置ｇ１と位置ｇ２との間；図２参照）では、レベルｈ２で楕円Ｂの短径部分から接線方向に延びる直線Ｓ１，Ｓ２と、レベルｈ１の前記楕円Ａとの交点を含む放物線Ｌ１が、屋根１の表面曲線となる。また、通り芯Ｘ１４〜Ｘ２３においては、レベルｈ２の楕円Ｂと、レベルｈ１の楕円Ａとの交点を含む放物線Ｌ２が屋根１の表面曲線となる。さらに、図２に示したように、通り芯Ｘ２４〜Ｘ２７においては、通り芯Ｙ０に対して所定寸法オフセットした通り芯Ｙ１および通り芯Ｘ２６，Ｘ２５，Ｘ２４のそれぞれとレベルｈ１における楕円Ａとの交点と、それぞれの交点から引かれたレベルｈ２の楕円Ｂの接線への直交線Ｐ１，Ｐ２，Ｐ３，Ｐ４との交点と、を含む放物線が屋根１の表面曲線となる。
【００１２】
このようにして、屋根１は、場所によってその表面の曲率が漸次変化する三次元曲面によって構成されている。
【００１３】
図１に示したように、屋根１は、その表面に平板状の石板（外装用プレート材）２を多数設置することによって構成されている。
これら石板２の配置は、以下のようにしてなされる。
まず、図４に示すように、上記屋根１を、側面視した状態で、鉛直方向において所定間隔Ｖ、例えば３００ｍｍ間隔毎に複数段に区分する。そして、図５に示すように、各段に石板２を配置することとし、互いに上下に位置する段の石板２，２は、下段側の石板２の上端部に、上段側の石板２の下端部が重なる構成とする。また、図１に示したように、各段においては、複数の石板２を、互いに重ね合わさずに突き合わせて並べる構成とし、図４（ａ）に示したように、各段の石板２の下端のライン（横目地ｍ１）が水平方向に連続するようにする。
【００１４】
図４（ｂ）に示したように、前述したような放物線Ｌ１，Ｌ２（図３参照）等によって構成される屋根１の表面では、その勾配角θは、場所によって例えば約３０゜から８７゜の間で変化する。図５に示したように、これによって、鉛直方向に３００ｍｍを有した各段においては、石板２の露出長さｋ１は、各段での勾配角θに応じて、３１０ｍｍ〜５８０ｍｍまで徐々に変化する。そこで、石板２の長さｋ０を、例えば３６０ｍｍ〜６３０ｍｍの間で３０ｍｍピッチで設定する（つまり、合計１０種類）。
そして、上記設定した種類の石板２を用い、互いに上下に位置する段の石板２，２どうしの重ね代ｋ２を例えば５０ｍｍ〜８０ｍｍの範囲で調整することによって、前記露出長さｋ１を確保するようにする。
【００１５】
また、図６に示すように、各段においては、前記したように石板２，２，…を互いに突き合わせて並べる構成とするが、このとき、石板２の幅ｗは、４５０ｍｍに統一して設定する。つまり、屋根１に使用する石板２の種類は、前記長さｋ０が異なる１０種類のみに留める構成とした。
幅ｗを統一したこれら石板２を通り芯Ｘ２７，Ｙ０（図２参照）から配置していくと、その縦目地によるラインｍ２は、屋根１を下方から見上げたときに斜めに曲線を描くようになっている。
【００１６】
上記のようにして屋根１に配置される石板２は、以下のようにしてユニット化が図られている。
図７に示すように、屋根ユニット（ユニットフレーム）５は、屋根１を複数に区分したもので、例えば幅３６００ｍｍ、長さ６０００ｍｍ前後の大きさを基本としている。図８に示すように、各屋根ユニット５は、例えば鉄骨造の躯体に取り付けられる鉄骨製の下地フレーム６に、防水層７，耐火層８，断熱層９，石板２を取り付けるための下地材１０，石板２が積層された構成となっている。
【００１７】
より詳しくは、格子状に組まれた下地フレーム６の上面に、防水層７としての鋼板製サイディング材１１，耐火ボード用に格子状に組まれた胴縁１２，断熱層９としてのグラスウール１３，耐火層８としての耐火ボード１４，防水層７としての加硫ゴムシート１５，折板取付用ブラケット１６，防水層７としての鋼板製の折板１７，下地材１０として折板１７に金物１８を介して取り付けられた縦胴縁１９および横胴縁（支持部材）２０，そして横胴縁２０に取り付けられた多数の石板２によって屋根ユニット５が構成されている。
【００１８】
縦胴縁１９は、屋根１の三次元曲面に応じて湾曲形成され、折板１７上に取付られた金物１８の高さを適宜変更することによって、折板１７上に固定されるようになっている。また、横胴縁２０も同様に、屋根位置の表面の三次元曲面に応じた形状に湾曲形成されており、縦胴縁１９との交点において、縦胴縁１９に固定されるようになっている。
【００１９】
ここで、図９および図１０に示すように、各石板２の裏面側には、その上部に二個一対の上部取付金物２１が設けられ、下部には下部取付金物（下部係止部材）２２が設けられている。
【００２０】
上部取付金物２１は、その下端部が、ボルト２３によって、石板２に形成された貫通穴２４に固定されている。この貫通穴２４は、石板２の端縁部から、例えば２５ｍｍの位置に設けられており、ボルト２３の引抜き強度が所定値（例えば２００ｋｇｆ）以上となるようになっている。また、ボルト２３が挿入される上部取付金物２１のボルト穴２５は、上下方向に所定長を有した例えば４５ｍｍの長穴とされており、上部取付金物２１が石板２に対して上下方向に位置調整可能となっている。そして、上部取付金物２１の中間部（固定部）２１ａには、例えば二個一対のボルト穴２６，２６が形成されている。さらに、この中間部２１ａの上部には、中間部２１ａに対して直交する折曲げ部２１ｂと、さらに折曲げ部２１ｂの先端から上方に折曲げられた係止部（上部係止部材）２１ｃとが形成されている。
【００２１】
一方、下部取付金物２２は、その上部２２ａがアンカー２７によって石板２に固定されている。この石板２にはその裏面側に奥に行くほど内径が広がる拡底穴２８が形成されており、この拡底穴２８にアンカー２７が挿入される構成となっている。この拡底穴２８に挿入されるアンカー２７には、拡底穴２８の内部で、先端側のスカートが広がるタイプのもの（例えば、独・フィッシャー社製  ＺＹＣＯＮアンカー）が用いられる。
下部取付金物２２の中間部には、石板２の裏面から離間する方向に伸びる折曲げ部２２ｂが形成され、さらに、折曲げ部２２ｂの先端部には、下方に折曲げられた挿入部２２ｃが形成されている。
【００２２】
このような上部取付金物２１および下部取付金物２２を備えた石板２は、上部取付金物２１の中間部２１ａに形成されたボルト穴２６，２６を用い、前記横胴縁２０にボルト（固定手段）２９等で固定されるようになっている。そして、下部取付金物２２は、下端部の挿入部２２ｃが、その下段側に配置される石板２の上部取付金物２１の上端部の係止部２１ｃに係合するようになっている。また、前記上部取付金物２１は、その断面形状の角度が石板２の取付角度に応じて、複数種類（例えば６種類）用意されている。
【００２３】
このような石板２の取付構造では、地震等により、大きな揺れや、下地の縦胴縁１９と横胴縁２０がねじれるほどの大きな変形が生じた場合でも、石板２の下部では、下段側の上部取付金物２１と上段側の下部取付金物２２とが横方向にスライドするようになっている。
【００２４】
図１１および図１２に示すように、上記構成からなる各屋根ユニット５には、その裏面側に突出する取付アーム３１が一体に設けられており、この取付アーム３１を取付金物３２を介して躯体鉄骨３３に取り付けるようになっている。そして取付アーム３１には、その軸線方向に延びる長穴３４が形成されており、一方、躯体鉄骨３３側には、それと直交する長穴３５が形成されている。そして、取付金物３２の取付面には、取付アーム３１側の長穴３４と躯体鉄骨３３側の長穴３５に、それぞれ直交する長穴３６，３７が形成されている。そして、取付金物３２は、取付アーム３１と躯体鉄骨３３とにそれぞれボルト・ナット３８で固定するようになっており、さらに、調整ボルト３９によって、その位置関係が長穴３４，３５，３６，３７の範囲内で位置調整が可能となっている。
【００２５】
図１３および図１４に示すように、このようにして屋根１に取り付けられて、互いに隣接する屋根ユニット５，５どうしの接合部には、接合部用のサイディング材１１ｊ，グラスウール１３ｊ，耐火ボード１４ｊ，加硫ゴムシート１５ｊ，折板１７ｊ等が配置され、さらに、双方の屋根ユニット５の横胴縁２０間に、ジョイント用の横胴縁２０ｊが接合されている。
また、図１３および図１５に示すように、屋根１の上下方向において互いに隣接する屋根ユニット５，５どうしの間にも、同様にして、サイディング材１１ｊ，耐火ボード１４ｊ，加硫ゴムシート１５ｊ，折板１７ｊ等が配置され、縦胴縁１９間にはジョイント用の縦胴縁１９ｊが接続されている。
【００２６】
図１６に示すように、このようにジョイントされる屋根ユニット５，５どうしの間にも、接合部用の石板２ｊが取り付けられることとなるが、縦方向、横方向、いずれのジョイント部においても、それぞれ２枚ずつの石板２ｊが配置されるようになっている。
【００２７】
このとき、図中▼印に示したような位置においては、既設の石板２が邪魔になり、図９に示したような上部取付金物２１および下部取付金物２２を用いたのでは石板２ｊの取付が不可能である。
【００２８】
このため、上部取付金物２１に代えて、図１７に示すように、石板２ｊの裏面２ａに、押さえ金物（受け部材）４１を、石板２の表面側から挿入したボルト４２で仮止めしておく。押さえ金物４１は、ボルト穴が形成された中間部４１ａに対してその両側４１ｂ，４１ｂが石板２ｊの裏面２ａから所定寸法を離間するよう折曲げ形成されたものである。
【００２９】
そして、このような押さえ金物４１を備えた石板２ｊを取り付けるには、馬蹄型取付金物４３を用いる。馬蹄型取付金物４３は、上部取付金物２１（図９参照）と同様の断面形状、つまり中間部（固定部）４３ａには横胴縁２０への取付を行うためのボルト穴（図示なし）が形成され、上部側には折曲げ部４３ｂと係止部（上部係止部材）４３ｃが形成されている。そして、中間部４３ａの下方には、略Ｕ字型の挿入部４４が形成されている。
【００３０】
このような馬蹄型取付金物４３を横胴縁２０に取り付けておく。そして、石板２ｊを下方から挿入することによって、馬蹄型取付金物４３の挿入部４４が、石板２ｊに取り付けられた押さえ金物４１の両側４１ｂ，４１ｂと、石板２ｊの裏面２ａとの隙間に挿入される。この後、図１５に示したように、石板２ｊを若干下方に下げ、下部取付金物２２を下段側の石板２の上部取付金物２１に係止させた後、ボルト４２を石板２ｊの表側から締め付ければよい。
【００３１】
さらに、図１８に示すように、屋根１に複数取り付けられる屋根ユニット５には、石板２の裏面側に、雨樋４６が内蔵されている。
雨樋４６は、横樋４７と縦樋４８とから構成されており、横樋４７が設置される部分においては折板１７が切り欠かれており、切り欠かれた折板１７の下端部に連続して横樋４７の開口部４７ａが設けられている。そして横樋４７には所定間隔毎に縦樋４８が連結されており、各縦樋４８の下端部には集水マス４９が配置されている。
【００３２】
このような雨樋４６では、石板２の隙間からその裏面側に入り込んだ雨水が、折板１７の表面を通って下方に流れ落ち、それがそのまま横樋４７の開口部４７ａに流れ込む。そして、この雨水は、横樋４７から縦樋４８に流れ、集水マス４９から所定の排水管（図示なし）に排出されるようになっている。
【００３３】
次に、上記構成からなる屋根１を施工するには、図８に示したように、下地フレーム６を所定形状に組み上げた後、サイディング材１１から縦胴縁１９のセットまでを順次行う。折板１７上にセットする縦胴縁１９取付用の金物１８には、縦・横胴縁割付図における折板１７面からの高さ値に従って穴をあけ、その穴を通して縦胴縁１９をボルト固定していくことにより、曲線をつけていく。
【００３４】
そして、三次元計測器であるトランジット等で横胴縁２０の取付位置を、縦胴縁１９上端での実長でけがき、これに基づいて、横胴縁２０をボルトにて縦胴縁１９に取り付けていく。
【００３５】
この後は、図９に示したように、各石板２を下段側から上段側に向けて順次横胴縁２０の所定位置に取り付けていく。
【００３６】
このようにして作業ヤードで組み立てた屋根ユニット５を、クレーン等で吊り上げ、躯体に順次固定していく。
【００３７】
そして、図１９に示すように、取り付けた屋根ユニット５の上面には、石板２の表面に脚部を載せて足場を組み、さらに、石板２上を走行可能な台車５５を用いて、互いに隣接する屋根ユニット５間のジョイント作業を行う。
【００３８】
上述した石材２の取付構造では、石板２の裏面側に、これを横胴縁２０に固定するための中間部２１ａを備えた上部取付金物２１と、下部係止部材２２とが設けられ、石板２は、中間部２１ａが横胴縁２０にボルト２９で固定されるとともに、上部取付金物２１が上方の石板２の下部係止部材２２に係止され、下部係止部材２２が下方の石板２の上部取付金物２１に係止される構成となっている。
これにより、中間部２１ａをボルト２９で横胴縁２０に固定するとともに、上部取付金物２１、下部係止部材２２を、上下に位置する石板２の上部取付金物２１、下部係止部材２２にそれぞれ係止させるのみで、石板２を容易に取り付けることができる。したがって、施工の効率化を図り、工期を短縮することが可能である。
しかも石板２は、中間部２１ａで横胴縁２０に固定するだけでなく、互いに上下に位置する石板２どうしが上部取付金物２１と下部係止部材２２とで互いに係合し、地震等により、大きな揺れや変形が生じた場合でも、石板２の下部では、下段側の上部取付金物２１と上段側の下部取付金物２２とが横方向にスライドするようになっているので、地震発生時等においても石板２が脱落しにくい。
【００３９】
さらに、屋根ユニット５，５どうしの接合部に配置される石板２ｊにおいては、馬蹄型取付金物４３が備えられ、この馬蹄型取付金物４３は、中間部４３ａとが一体化され、かつその下部には挿入部４４が形成されて、挿入部４４が石板２の取付面側に固定された押さえ金物４１に着脱自在に挿入される構成となっている。これにより、馬蹄型取付金物４３を横胴縁２０に取り付けた後、これを石板２に取り付けた押さえ金物４１に挿入させることによって、石板２ｊを横胴縁２０に取り付けることができる。したがって、例えば石板２ｊの端部を重ね合わせるときでも、後から石板２を挿入して取り付けることが容易であるため、特に石板２どうしを重ね合わせるときに好適に用いることができる。また、その逆に、馬蹄型取付金物４３を押さえ金物４１から引き抜くこともできるので、石板２ｊの補修交換も容易に行える。
【００４０】
加えて、複数の石板２を屋根ユニット５に装着することによってユニット化を図る構成となっている。また、石板２だけでなく、下地フレーム６，防水層７，耐火層８，断熱層９，下地材１０等についても同一の屋根ユニット５に組み込んでユニット化している。
これにより、大規模な屋根５における施工の効率化を図ることができ、大幅に工期を短縮するとともに工費を削減することができる。
【００４１】
なお、上記実施の形態において、屋根１の形状について言及しているが、もちろんその形状については上記したものに限らず、もちろん、上記石板２の取付構造は、平面形状の部分においても全く同様に適用可能であり、それにより同様の効果が得られる。
さらには、例えば、屋根１は外周側に凸形状となる構成となっているが、外周側が凹形状となるような三次元曲面であっても良い。また、各部の寸法についてはあくまでも一例であり、上記にあげた寸法によって本発明が何ら限定されるものではない。
また、上記実施の形態では、屋根１を施工する場合を例に挙げたが、外装用プレート材を取り付けるのであれば、屋根１に限らず、例えば壁面等であってもよい。
【００４２】
さらに、屋根１に配置する石板２については、その材質、形状、大きさ、取付構造等については上記したものに限らず、適宜他の構成を採用することができる。また石板２を縦方向に重ね合わせる構成としたが、これを横方向重ね合わせる構成とすることも可能である。
【００４３】
また、上部取付金物２１および下部取付金物２２については、その形状や石板２に取り付ける個数等、他の構成を採用可能である。さらに上記実施の形態では石板２ｊにのみ馬蹄型取付金物４３を用いる構成としたが、これを全ての石板２に用いることも可能であり、そのような構成を採用することにより、石板２のメンテナンスが容易になるという効果を得ることもできる。
【００４４】
加えて、外装用プレート材を取り付けるべき面積が小規模である場合等には、ユニット化を図らずに施工するようにしてもよい。
【００４５】
これ以外にも、本発明の主旨を逸脱しない範囲内であれば、いかなる構成を採用しても良く、また上記したような構成を適宜選択的に組み合わせたものとしても良いのは言うまでもない。
【００４６】
【発明の効果】
以上説明したように、請求項１に係る外装用プレート材の取付構造によれば、固定部と上部係止部材とが一体化され、かつその下部には挿入部が形成されて、挿入部がプレート材の取付面側に固定された受け部材に着脱自在に挿入される構成となっている。これにより、固定部と上部係止部材とを一体化したものを支持部材に取り付けた後、これを外装用プレート材の受け部材に挿入させることによってプレート材を支持部材に取り付けることができる。したがって、例えばプレート材の端部を重ね合わせるときでも、後からプレート材を挿入して取り付けることが容易であるため、特にプレート材どうしを重ね合わせるときに好適に用いることができる。また、その逆に、挿入部を受け部材から引き抜くこともできるので、プレート材の補修交換も容易に行える。
【００４７】
請求項２に係る外装用プレート材の取付構造によれば、互いに上下に位置するプレート材どうしは、その端部が重ね合わせられた構成となっている。これにより、このようなプレート材の取付構造は、特に屋根材に好適に用いることができる。
【図面の簡単な説明】
【図１】  本発明に係る外装用プレート材の取付構造を適用した屋根の一例を示す斜視図である。
【図２】  前記屋根の形状を示す等高線図である。
【図３】  同屋根の表面の断面形状を示す図である。
【図４】  同屋根への外装用プレート材のレイアウト方法を示すため図であって、前記屋根を所定間隔毎に分割した図である。
【図５】  同、外装用プレート材を屋根に取り付けた状態での各部の寸法を示す側断面図である。
【図６】  同、幅寸法を統一した外装用プレート材を屋根に取り付けた状態を示す外観図である。
【図７】  前記屋根を構成する屋根ユニットのレイアウトを示す平面レイアウト図である。
【図８】  前記屋根ユニットの構造を示す斜視図である。
【図９】  同屋根ユニットにおける外装用プレート材の取付構造を示す側断面図である。
【図１０】  前記外装用プレート材の取付構造を示す斜視図である。
【図１１】  前記屋根ユニットの躯体への取付構造を示す斜視図である。
【図１２】  同屋根ユニットの躯体への取付構造を示す側断面図である。
【図１３】  同屋根ユニットの接合部の構造を示す斜視図である。
【図１４】  水平方向において互いに隣接する屋根ユニットの接合部の構造を示す断面図である。
【図１５】  上下方向において互いに隣接する屋根ユニットの接合部の構造を示す側断面図である。
【図１６】  前記接合部における外装用プレート材の配置を示すレイアウト図である。
【図１７】  同接合部に配置する外装用プレート材の取付に用いる部材を示す斜視図である。
【図１８】  前記屋根ユニットに内蔵した樋を示す斜視図である。
【図１９】  同屋根ユニットの組み付けに用いる台車を示す斜視図である。
【符号の説明】
２  石板（外装用プレート材）
２０  横胴縁（支持部材）
２１ａ  中間部（固定部）
２１ｃ  係止部（上部係止部材）
２２  下部取付金物（下部係止部材）
２９  ボルト（固定手段）
４１  押さえ金物（受け部材）
４３ａ  中間部（固定部）
４３ｃ  係止部（上部係止部材）
【図１】
0003869126.tif 000002
【図２】
0003869126.tif 000003
【図３】
0003869126.tif 000004
【図４】
0003869126.tif 000005
【図５】
0003869126.tif 000006
【図６】
0003869126.tif 000007
【図７】
0003869126.tif 000008
【図８】
0003869126.tif 000009
【図９】
0003869126.tif 000010
【図１０】
0003869126.tif 000011
【図１１】
0003869126.tif 000012
【図１２】
0003869126.tif 000013
【図１３】
0003869126.tif 000014
【図１４】
0003869126.tif 000015
【図１５】
0003869126.tif 000016
【図１６】
0003869126.tif 000017
【図１７】
0003869126.tif 000018
【図１８】
0003869126.tif 000019
【図１９】
0003869126.tif 000020